(57)【要約】【課題】ドア本体とドア枠との間の隙間への幼児等のうっかりした指の挟み込みをよりしっかりと防ぐことを可能にするとともに、強度面で優れる、指挟み防止装置を提供する。【解決手段】本発明の一実施形態に係る指挟み防止装置１０は、ドア本体１２及びドア枠１６のうちの一方に対して一端２０ａが固定されるシート状部材２０と、前記ドア本体及び前記ドア枠のうちの他方に設けられて、前記一端が固定された前記シート状部材の少なくとも一部が収容される収容部２２とを備える。収容部２２には、ドアの開閉に伴い前記収容部に対して前記シート状部材が移動する方向に延在する補強部３０が設けられている。シート状部材２０には、ドア本体及びドア枠のうちの一方に対して一端が少なくとも固定された状態で補強部に沿って延びるスリット部３４が設けられている。【選択図】図１
2020190119.tif 000002
【特許請求の範囲】
【請求項１】
ドア本体及びドア枠のうちの一方に対して一端が固定されるシート状部材と、
前記ドア本体及び前記ドア枠のうちの他方に設けられて、前記一端が固定された前記シート状部材の少なくとも一部が収容される収容部と
を備え、
前記収容部には、ドアの開閉に伴い前記収容部に対して前記シート状部材が移動する方向に延在する補強部が設けられていて、
前記シート状部材には、前記ドア本体及び前記ドア枠のうちの前記一方に対して前記一端が少なくとも固定された状態で前記補強部に沿って延びるスリット部が設けられている、
指挟み防止装置。
【請求項２】
前記収容部は前記補強部を複数有し、該複数の補強部は一枚の板状部材を折り曲げることで一体的に形成されている、
請求項１に記載の指挟み防止装置。
【請求項３】
前記補強部は、断面Ｈ状の部材により形成されている、
請求項１に記載の指挟み防止装置。
【請求項４】
前記シート状部材の前記一端は、蝶番で、前記ドア本体及び前記ドア枠のうちの一方に固定されている、
請求項１から３のいずれか一項に記載の指挟み防止装置。
【請求項５】
前記収容部は、前記ドア本体又は前記ドア枠そのものに形成された穴を有し、
前記穴に前記補強部は設けられている、
請求項１から４のいずれか一項に記載の指挟み防止装置。
【請求項６】
前記収容部は、前記ドア本体及び前記ドア枠のうちの他方に取り付けられる収容空間区画形成部材を備え、
該収容空間区画形成部材と、前記ドア本体及び前記ドア枠のうちの前記他方との間に、前記補強部は設けられている、
請求項１から４のいずれか一項に記載の指挟み防止装置。
【発明の詳細な説明】
【技術分野】
【０００１】
本発明は、ドアを開閉する際に、ドア本体とドア枠との間に生じる隙間に指が挟まれることを防止するようにされた指挟み防止装置に関する。
【背景技術】
【０００２】
従来から、ドアを開閉する際に、幼児等がドア本体とドア枠（縦枠）との間に生じる空隙つまり隙間に誤って指を挟んでしまう事例が報告されている。ドア本体とドア枠との間に指が挟まれる事故を防止する指挟み防止装置として、様々な構造が提案されている。
【０００３】
例えば、特許文献１は、ドア本体とドア枠の間にできるＶ字の隙間に乳幼児が指を挟まれてけがをしないように、ドアを開いたときに、ドア本体とドア枠との間に生じる隙間を安全フィルムによりカバーすることを開示する。特許文献１では、安全フィルムの一端は、ドア枠に両面テープとビス、プラスチック製のプレート板で固定される、とされている。
【０００４】
また、特許文献２は、ドアフレームにカバーシートの一端側を固定し、その他端側をドアの外面に取り付けられた収納ケースの内部に可動式に収納できるようにすることを開示する。
【先行技術文献】
【特許文献】
【０００５】
【特許文献１】特開２００７−２４７２３１号公報
【特許文献２】特開２００９−２９９４４７号公報
【発明の概要】
【発明が解決しようとする課題】
【０００６】
しかしながら、特許文献１に記載の安全フィルムでは、その一端をドア枠に固定するだけであるので、ドアの開閉時、安全フィルムのドア本体への追従性の点で懸念がある。一方、特許文献２に記載のように収納ケースの内部にカバーシートの他端側を可動式に収納できるようにすることは、カバーシートのドアへの追従性の点で、特許文献１に記載のものよりも優れる。しかし、例えば幼児等の子供は収納ケースの開口部に興味を示す可能性があり、この場合、幼児等が収納ケースの開口部を広げる方向に力を加えたり、それを逆に押し潰す方向に力を加えたりすることで収納ケースが変形して、カバーシートの収納ケースの内部への又はそこから外への動きが生じ難くなることが懸念される。  
【０００７】
そこで、本発明は、上記課題に鑑みて創案されたものであり、ドア本体とドア枠との間の隙間への幼児等のうっかりした指の挟み込みをよりしっかりと防ぐことを可能にするとともに、強度面で優れる指挟み防止装置を提供することを目的とする。
【課題を解決するための手段】
【０００８】
上記目的を達成するために、本発明の一態様は、
ドア本体及びドア枠のうちの一方に対して一端が固定されるシート状部材と、
前記ドア本体及び前記ドア枠のうちの他方に設けられて、前記一端が固定された前記シート状部材の少なくとも一部が収容される収容部と
を備え、
前記収容部には、ドアの開閉に伴い前記収容部に対して前記シート状部材が移動する方向に延在する補強部が設けられていて、
前記シート状部材には、前記ドア本体及び前記ドア枠のうちの前記一方に対して前記一端が少なくとも固定された状態で前記補強部に沿って延びるスリット部が設けられている、
指挟み防止装置を提供する。
【０００９】
前記収容部は前記補強部を複数有し、該複数の補強部は一枚の板状部材を折り曲げることで一体的に形成されているとよい。あるいは、前記補強部は、断面Ｈ状の部材により形成されているとよい。
【００１０】
好ましくは、前記シート状部材の前記一端は、蝶番で、前記ドア本体及び前記ドア枠のうちの一方に固定されている。
【００１１】
前記収容部は、前記ドア本体又は前記ドア枠そのものに形成された穴を有するとよい。この場合、前記穴に前記補強部は設けられるとよい。あるいは、前記収容部は、前記ドア本体及び前記ドア枠のうちの他方に取り付けられる収容空間区画形成部材を備えてもよい。この場合、該収容空間区画形成部材と、前記ドア本体及び前記ドア枠のうちの前記他方との間に、前記補強部は設けられるとよい。
【発明の効果】
【００１２】
本発明の上記一態様に係る指挟み防止装置によれば、上記構成を備えるので、ドア本体とドア枠との隙間への幼児等のうっかりした指の挟み込みをよりしっかりと防ぐことが可能になるとともに、その強度を高めることが可能になる。
【図面の簡単な説明】
【００１３】
【図１】本発明の第１実施形態に係る指挟み防止装置が適用されたドアの概略構成図である。
【図２】図１の指挟み防止装置を図１中上側から見たところを示す概略構成図であり、（ａ）はドアが完全に閉まった状態での図を、（ｂ）はドアがわずかに開いた状態での図を、（ｃ）はドアが更に開いた状態での図を示す。
【図３】図１の指挟み防止装置の収容空間区画形成部材の斜視図である。
【図４】図１の指挟み防止装置の補強部を説明するための図である。
【図５】本発明の第２実施形態に係る指挟み防止装置がドアに適用されているところを示す概略構成図である。
【図６】（ａ）は図５の指挟み防止装置を図５とは異なる状態でドア外部から見たところを示す図であり、（ｂ）は図５の指挟み防止装置の収容部をその穴の開口部側から見た図である。
【図７】図５の指挟み防止装置の変形例を表した図である。
【発明を実施するための形態】
【００１４】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１５】
図１は、本発明の第１実施形態に係る指挟み防止装置１０が適用されたドア１１の概略構成図である。ドア１１においては、ドア本体１２は、蝶番つまりヒンジ１４によって、ドア枠１６の縦枠１６ａに取り付けられている。なお、図１では、１つのヒンジ１４のみを示すが、残りのヒンジは指挟み防止装置１０によって隠れている。
【００１６】
図１の指挟み防止装置１０を、図１中上側から見たところを図２に示す。図２（ａ）は、ドア１１が完全に閉じた状態での指挟み防止装置１０を示し、図２（ｂ）はドア１１がわずかに開いた状態での指挟み防止装置１０を示し、図２（ｃ）は図２（ｂ）の状態よりもドア１１が更に開いた状態での指挟み防止装置１０を示す。
【００１７】
指挟み防止装置１０は、シート状部材２０と、収容部２２とを備える。シート状部材２０は、シート状の部材として構成されている。より詳しくは、ここでは、シート状部材２０は、略長方形の薄いフィルムシートとして構成されている。例えば、シート状部材２０は、塩化ビニル樹脂製のシートなどの所謂プラスチックシート、紙製シートであり得、種々の材料から作製可能である。なお、シート状部材２０は、可撓性を有する。シート状部材２０は、ドア１１の開閉にしたがって、後述するように収容部２２に滑らかに入ったり出たりすることを可能にする程度に、湾曲可能であるとよく、好ましくはその程度の可撓性を有する。
【００１８】
図１及び図２において、シート状部材２０の一端２０ａは、ドア枠１６に固定されている。ドア枠１６へのシート状部材２０の固定は、蝶番つまりヒンジ２４で行われている。ドア枠１６に固定したヒンジ２４に、シート状部材２０の一端は固定されている。なお、ドア枠１６へのシート状部材２０の一端の固定は、ヒンジ２４で行われることに限定されず、接着剤、両面テープ、面ファスナー、磁石等の種々の手段を用いて、ドア枠１６の材質にも応じて、行われるとよい。
【００１９】
指挟み防止装置１０では、ドア本体１２に対して、収容部２２が設けられている。収容部２２を形成するように、図３に示す収容空間区画形成部材２６がドア本体１２の表面１２Ｓに取り付けられる。図３に示すように、収容空間区画形成部材２６には、接着剤Ｂが塗布された耳部２６ａが複数設けられている。これら複数の耳部２６ａをドア本体１２の表面１２Ｓに貼り付けることで、ドア本体１２の表面１２Ｓと収容空間区画形成部材２６の内面２６ｂとで、収容部２２の収容空間が、つまり穴２８が区画形成される。収容空間区画形成部材２６はプラスチック材料等で作製可能である。なお、収容空間区画形成部材２６は接着剤Ｂで取り付けられることに限定されず、両面テープ、面ファスナー、磁石等で取り付けられても、ねじ等の機械的接合手段によって取り付けられて固定されてもよい。
【００２０】
そして、収容空間区画形成部材２６の内側、つまり、収容部２２の内部には、補強部３０が設けられている。補強部３２は、ドア１１の開閉に伴い収容部２２に対してシート状部材２０が移動する方向（以下、スライド方向）Ｓ（図１参照）に延在するように、収容部２２の穴２８に設けられている。図１に示すように、補強部３０は、ここでは３つ設けられているが、１つだけ設けられることも、３つ以外の複数個設けられることも可能である。図４に、収容部２２の穴２８の開口部２８ａ側から収容部２２を見たところを示す。各補強部３０は、ドア本体１２の表面１２Ｓに略直角をなすとともに、収容空間区画形成部材２６の内面２６ｂとドア本体１２の表面１２Ｓとの間に隙間なく延在するように設けられている。図１に示すように、スライド方向Ｓにおいて、収容部２２の内部のうちその穴２８の開口部２８ａ側にのみ、補強部３０は設けられている。しかし、スライド方向Ｓにおいて穴２８の入口つまり開口部２８ａから奥まで補強部３０が延在してもよい。この補強部３０は、ドアの高さ方向において、概ね等間隔で配置されている。なお、補強部３０間の長さＬ（図４参照）は、２０ｃｍ以上３０ｃｍ以下であるとよいが、補強部３０の補強機能を好適に発揮するように定められるとよい。
【００２１】
更に、図４から明らかなように、収容部２２の３つの補強部３０は、一枚の板状部材３２を折り曲げることで一体的に形成されている。つまり、３つの補強部３０の各々は、一枚の板状部材３２の一部である。図４では補強部３０が誇張されて表されていて、収容空間区画形成部材２６は細線で示されている。補強部３０つまり板状部材３２は、ここでは、ステンレス製であるが、アルミニウム、マグネシウムなどの他の金属材料製であってもよい。あるいは、補強部３０つまり板状部材３２はプラスチック材料等で作製されてもよい。なお、収容空間区画形成部材２６の内側に、収容空間区画形成部材２６に対して補強部３０は接着剤で固定されている。しかし、その他の、例えば溶接等の化学的接続手段や、ねじ等の機械的接続手段で、補強部３０は、収容空間区画形成部材２６とドア本体１２との間に固定されてもよい。
【００２２】
このように収容部２２には補強部３０が設けられているので、図１に示すように、シート状部材２０にはスリット部３４が設けられている。ここでは、スリット部３４は、ドア枠１６に固定された一端２０ａ側から、自由端２０ｂにまで延びている。したがって、収容部２２の穴２８の開口部２８ａから穴２８内に、シート状部材２０の自由端２０ｂを入れることが可能になる。ただし、シート状部材２０のスリット部３４は、幼児等の指の入らない程度の大きさを有するとよく、また補強部３０の厚さなどの寸法はスリット部３４に応じて定められる。
【００２３】
指挟み防止装置１０の組み立て及び、ドア１１への取付けについて説明する。一例としては、まず、補強部３０を取り付けた状態の収容空間区画形成部材２６をドア本体１２に取り付ける。そして、収容空間区画形成部材２６とドア本体１２とにより区画形成された収容部２２の穴２８の開口部２８ａに、シート状部材２０の自由端２０ｂになる部分を先頭に、シート状部材２０を差し込む。この状態で、シート状部材２０の一端２０ａをヒンジ２４でドア枠１６に固定する。このようにして、指挟み防止装置１０の組み立て及びドア１１へのその取り付けを行うことができる。
【００２４】
上記構成を有する指挟み防止装置１０の作用及び効果について説明する。
【００２５】
図２（ａ）のドア１１が完全に閉じた状態では、ドア本体１２とドア枠１６との間に隙間は実質的に生じていない。このとき、指挟み防止装置１０のシート状部材２０はドア枠１６側からドア本体１２の収容部２２の穴２８内に、その大部分が延びて収容されている。
【００２６】
図２（ａ）の状態からドア１１を少し開けると、図２（ｂ）に示す状態になり、ドア枠１６とドア本体１２との間に隙間Ｇ生じる。このとき、指挟み防止装置１０のシート状部材２０は、ドア本体１２の収容部２２の穴２８から少し出て、残りの部分が穴２８内に延びている状態にある。したがって、指挟み防止装置１０のシート状部材２０は、隙間Ｇを覆っていて、そこへの指等の差し込み等を防ぐことを可能にする。
【００２７】
図２（ｂ）の状態から更にドア１１を開けると、図２（ｃ）に示す状態になり、ドア枠１６とドア本体１２との間の隙間Ｇつまりドア枠１６とドア本体１２との角度θが拡大する。このとき、指挟み防止装置１０のシート状部材２０は、ドア本体１２の収容部２２の穴２８から更に出て、残りの部分が穴２８内に依然として延びている状態にある。したがって、図２（ｃ）に示すように、指挟み防止装置１０のシート状部材２０は、隙間Ｇを覆っていて、そこへの指等の差し込みを防ぐことを可能にする。
【００２８】
ドアを閉めるときは、例えば図２（ｃ）の状態から図２（ｂ）の状態へ、更には図２（ｂ）の状態から図２（ａ）の状態へと、指挟み防止装置１０のシート状部材２０は、ドア本体１２の収容部２２の穴２８内に入るようにスライド移動する。したがって、このドア１１を閉めるときも、隙間Ｇがシート状部材２０でしっかりと覆われている状態に保たれる。これにより、隙間Ｇへの指等の差し込みを防ぐことが可能になる。
【００２９】
このように、指挟み防止装置１０では、ドア１１の開閉時、その隙間Ｇを常に覆うように、シート状部材２０は、ドア本体１２の収容部２２の穴２８から出たり、そこに入ったりする。つまり、収容部２２の収容空間には、シート状部材２０の少なくとも一部が常に収容された状態にある。したがって、ドア本体１２とドア枠１６との隙間Ｇへの幼児等のうっかりした指の挟み込みをよりしっかりと防ぐことが可能になる。
【００３０】
そして、指挟み防止装置１０では、収容部２２の穴２８に、複数の補強部３０が設けられている。したがって、指挟み防止装置１０の収容部２２は優れた高い強度を有する。よって、例えば幼児等が、穴２８に気が付いて穴２８を広げるような力を収容空間区画形成部材２６に及ぼしたり、あるいは、穴２８を押し潰すような力を収容空間区画形成部材２６に及ぼしたりしても、穴２８は補強部３０によりその変形が抑制される。したがって、指挟み防止装置１０におけるシート状部材２０の動きつまり移動を可能にする空間がしっかりと保たれ、よってその指挟み防止機能が阻害され難くなる。
【００３１】
次に、本発明の第２実施形態に係る指挟み防止装置１１０を図５及び図６に基づいて説明する。ただし、以下の説明では、重複説明を省略するべく、指挟み防止装置１１０における、第１実施形態の指挟み防止装置１０との相違点を主として説明する。なお、図５は、指挟み防止装置１１０がドアに適用されたところを示す概略構成図であり、図２（ｃ）に対応する図である。また、図６（ａ）はある状態での指挟み防止装置１１０を収容部２２の外側から見たところを示す図であり、図６（ｂ）は収容部２２の穴２８の開口部２８ａ側から収容部２２を見たところを示す図である。
【００３２】
指挟み防止装置１１０では、収容部２２の穴２８は、図５に示すように、ドア本体１２そのものに直接的に形成されている。そして、図６（ｂ）に示すように、穴２８に設けられる補強部３０はそれぞれ断面Ｈ状の補強部材１３０により形成されている。ここでは、補強部材１３０が接着剤で穴２８内に固定されることで、補強部３０は形成されている。しかし、補強部材１３０は他の手段又は方法により穴２８内に設けられることも可能である。補強部材１３０は、直線状の部材であり、スライド方向Ｓに延びるように収容部２２に設けられる。ここでは、補強部材１３０は金属材料製であるが、プラスチックなどの材料から作製されてもよい。なお、ここでは、収容部２２はドア１２の高さ方向の全体にわたって設けられていて、補強部３０は７つ設けられている。
【００３３】
そして、収容部２２の補強部３０の個数に応じた数だけ、つまり７つ、シート状部材２０にスリット部３４が形成されている。図６（ａ）に示すように、スリット部３４はシート状部材２０の固定された一端２０ａ近傍から自由端２０ｂまで延びている。このように、シート状部材２０は１つの部材として形成されている。
【００３４】
上記構成を備える指挟み防止装置１１０でも、上記第１実施形態の指挟み防止装置１０と同様の作用効果が奏される。
【００３５】
上記第１実施形態の指挟み防止装置１０のように、ドアに後付けするタイプの「指挟み防止商品」では、不要になってそれを取り外したときに塗装が剥がれたり、粘着剤が残ったりして見た目が悪くなるとう問題が生じ得る。しかし、指挟み防止装置１１０の収容部２２をドア本体に直接的に設けることで、指挟み防止装置１１０が不要になったときのそのような問題の発生をより好適に防ぐことが可能になる。
【００３６】
なお、シート状部材２０のスリット部３４は、シート状部材２０そのものに形成されることに限定されず、シート状部材２０がドア枠等に固定された状態で形成されていればよい。例えば図７に変形例としての指挟み防止装置２１０を示すように、シート状部材２０を複数のシート片２０ｓから構成してもよい。この場合、シート状部材２０つまり複数のシート片２０ｓをドア枠１６に固定した状態で、シート状部材２０において、シート片２０ｓ間にスリット部３４が形成されて設けられる。
【００３７】
以上、本発明の代表的な実施形態及び変形例について説明したが、本発明はそれらに限定されない。本願の特許請求の範囲によって定義される本発明の精神及び範囲から逸脱しない限り、種々の置換、変更が可能である。例えば、上記実施形態の指挟み防止装置１０、１１０及びその変形例の指挟み防止装置２１０などの種々の構成は、矛盾しない範囲で、種々組み合わせることができる。
【００３８】
また、指挟み防止装置１０、１１０，２１０では、シート状部材２０の一端２０ａはドア枠１６に固定され、収容部２２はドア本体１２に設けられた。しかし、シート状部材２０の一端２０ａはドア本体１２に固定され、収容部２２はドア枠１６に設けられてもよい。
【００３９】
更に、上記実施形態などでは、指挟み防止装置１０、１１０、２１０は、ドア本体１２がドア枠１６から離れるように開く側に対して適用された。しかし、指挟み防止装置１０、１１０、２１０は、ヒンジ１４側に適用されてもよい。また、指挟み防止装置１０、１１０、２１０は、ドア本体１２がドア枠１６から離れるように開く側と、ヒンジ１４側の両側のそれぞれに対して適用されてもよい。
【００４０】
また、上記第１実施形態の指挟み防止装置１０では、図１に示すように、ドア１１の下方にのみ指挟み防止装置１０が適用された。しかし、第２実施形態の指挟み防止装置１１０及びその変形例の指挟み防止装置２１０のように、ドア１１の隙間Ｇ全体を覆うことを可能にするように、本発明に係る指挟み防止装置の寸法は調整されてもよい。
【００４１】
また、上記実施形態では、補強部３０は金属などから構成されたが、ある程度の柔軟性を有する材料から部分的に又は全体的に作製されてもよい。例えば補強部３０の表面に不織布などが張り付けられてもよい。あるいは、補強部３０はゴム材から作製されてもよい。このようなある程度の柔軟性を有する材料で部分的に又は全体的に補強部３０を作製することで、補強部３０とシート状部材２０のスリット部３４との摩擦又は摩耗を抑制することが可能になり、例えばドアの開け閉めの際の音を低減することが可能になる。
【００４２】
なお、本発明の装置（又は構造）は、「不意に、或いは、不注意により」ドアに指を挟んでしまうことを防止する装置（又は構造）に係り、それを前提とした強度を有して構成されることに向けられている。そのため、本発明は、「意図的に、或いは、いたずらの延長で」ドアに指を挟んでしまうことを防止することに向けられていない。「ドアに指を挟んだらどうなるか」ということについての想像力や子供への指導は、本人や保護者が責を負うべきものである。
【符号の説明】
【００４３】
１０、１１０、２１０  指挟み防止装置
１１  ドア
１２  ドア本体
１４  ヒンジ
１６  ドア枠
２０  シート状部材
２２  収容部
２４  ヒンジ
２６  収容空間区画形成部材
２８  穴
３０  補強部
３４  スリット部
【図１】
2020190119.tif 000003
【図２】
2020190119.tif 000004
【図３】
2020190119.tif 000005
【図４】
2020190119.tif 000006
【図５】
2020190119.tif 000007
【図６】
2020190119.tif 000008
【図７】
2020190119.tif 000009
【手続補正書】
【提出日】令和1年8月19日(2019.8.19)
【手続補正１】
【補正対象書類名】明細書
【補正対象項目名】０００８
【補正方法】変更
【補正の内容】
【０００８】
上記目的を達成するために、本発明の一態様は、
ドア本体及びドア枠のうちの一方に対して一端が固定されるシート状部材と、
前記ドア本体及び前記ドア枠のうちの他方に設けられて、前記一端が固定された前記シート状部材の少なくとも一部が収容される収容部であって、ドアの開閉にしたがって前記シート状部材が出入りすることが可能である、収容部と
を備え、
前記収容部には、ドアの開閉に伴い前記収容部に対して前記シート状部材が移動する方向に延在する補強部が設けられていて、
前記シート状部材には、前記ドア本体及び前記ドア枠のうちの前記一方に対して前記一端が少なくとも固定された状態で前記補強部に沿って延びるスリット部が設けられている、
指挟み防止装置を提供する。
【手続補正２】
【補正対象書類名】特許請求の範囲
【補正対象項目名】全文
【補正方法】変更
【補正の内容】
【特許請求の範囲】
【請求項１】
ドア本体及びドア枠のうちの一方に対して一端が固定されるシート状部材と、
前記ドア本体及び前記ドア枠のうちの他方に設けられて、前記一端が固定された前記シート状部材の少なくとも一部が収容される収容部であって、ドアの開閉にしたがって前記シート状部材が出入りすることが可能である、収容部と
を備え、
前記収容部には、前記ドアの開閉に伴い前記収容部に対して前記シート状部材が移動する方向に延在する補強部が設けられていて、
前記シート状部材には、前記ドア本体及び前記ドア枠のうちの前記一方に対して前記一端が少なくとも固定された状態で前記補強部に沿って延びるスリット部が設けられていて、
前記収容部は前記補強部を複数有し、該複数の補強部は一枚の板状部材を折り曲げることで一体的に形成されている、
指挟み防止装置。
【請求項２】
ドア本体及びドア枠のうちの一方に対して一端が固定されるシート状部材と、
前記ドア本体及び前記ドア枠のうちの他方に設けられて、前記一端が固定された前記シート状部材の少なくとも一部が収容される収容部であって、ドアの開閉にしたがって前記シート状部材が出入りすることが可能である、収容部と
を備え、
前記収容部には、前記ドアの開閉に伴い前記収容部に対して前記シート状部材が移動する方向に延在する補強部が設けられていて、
前記シート状部材には、前記ドア本体及び前記ドア枠のうちの前記一方に対して前記一端が少なくとも固定された状態で前記補強部に沿って延びるスリット部が設けられていて、
前記補強部は、断面Ｈ状の部材により形成されている、
指挟み防止装置。
【請求項３】
前記シート状部材の前記一端は、蝶番で、前記ドア本体及び前記ドア枠のうちの一方に固定されている、
請求項１又は２に記載の指挟み防止装置。
【請求項４】
前記収容部は、前記ドア本体又は前記ドア枠そのものに形成された穴を有し、
前記穴に前記補強部は設けられている、
請求項１から３のいずれか一項に記載の指挟み防止装置。
【請求項５】
前記収容部は、前記ドア本体及び前記ドア枠のうちの他方に取り付けられる収容空間区画形成部材を備え、
該収容空間区画形成部材と、前記ドア本体及び前記ドア枠のうちの前記他方との間に、前記補強部は設けられている、
請求項１から３のいずれか一項に記載の指挟み防止装置。